(57)【要約】【課題】バックアップされるデータの選別及び取扱いが容易になる電子機器を提供する。【解決手段】バックアップ機能がオンである場合、制御部２１は、記憶部２０に格納されている重要度テーブル２０ａに設定されている重要度を更新する（Ｓ３）。制御部２１は、ユーザによってあらかじめ設定されたバックアップ容量分、重要度が上位のコンテンツから順番に、内蔵メモリ２５及びメモリカード３５の双方にコンテンツデータをコピーしてバックアップを行う（Ｓ４）。このとき、制御部２１は、内蔵メモリ２５に保存されている各データに対し、内蔵メモリ２５に最初から保存されていたデータであるのか、それともメモリカード３５から内蔵メモリ２５にバックアップされたデータであるのかを識別する情報として、フラグをこのデータに付加する。【選択図】図２
2014191630.tif 000002
【特許請求の範囲】
【請求項１】
外部記録媒体が挿抜自在に接続される接続部と、
データを記憶する内蔵メモリと、
前記外部記録媒体に記憶されたデータの重要度を算出し、前記重要度の高い順に、前記内蔵メモリに対し、前記外部記録媒体に記憶されたデータのバックアップを行う制御部と、
を備える電子機器。
【請求項２】
前記制御部は、前記外部記録媒体に記憶されたデータの参照回数、ジャンル、キーワードの有無、イベント登録の有無及び位置情報の少なくとも１つを用いて、前記重要度を算出する、
ことを特徴とする請求項１記載の電子機器。
【請求項３】
前記制御部は、前記内蔵メモリに空き容量があり、かつ、前記重要度が閾値以上であるデータのバックアップを行う、
ことを特徴とする請求項１記載の電子機器。
【請求項４】
前記制御部は、前記内蔵メモリにバックアップが行われたデータに、前記バックアップが行われたデータであることを表すフラグ情報を付加する、
ことを特徴とする請求項１記載の電子機器。
【請求項５】
外部装置と通信を行う通信部を備え、
前記制御部は、前記外部装置に対し、前記内蔵メモリにバックアップが行われたデータ、及び当該データに付加されたフラグ情報を送信する、
ことを特徴とする請求項４記載の電子機器。
【請求項６】
外部装置と通信を行う通信部を備え、
前記制御部は、前記内蔵メモリに空き容量がある場合、前記内蔵メモリに対し、前記外部記録媒体に記憶されたデータのバックアップを行い、前記内蔵メモリに空き容量が無い場合、前記外部装置に対し、前記外部記録媒体に記憶されたデータのバックアップを行う、
ことを特徴とする請求項１記載の電子機器。
【請求項７】
前記制御部は、前記外部装置に対し、前記外部記録媒体に記憶されたデータのバックアップを行う場合、前記外部記録媒体に記憶されたデータを消去せず、前記内蔵メモリに対し、前記外部記録媒体に記憶されたデータのバックアップを行う場合、前記外部記録媒体に記憶されたデータを消去する、
ことを特徴とする請求項６記載の電子機器。
【請求項８】
前記制御部は、前記外部装置から受信したデータに、前記フラグ情報が付加されている場合、前記内蔵メモリに前記データを復元し、前記フラグ情報が付加されていない場合、前記外部記録媒体に前記データを復元する、
ことを特徴とする請求項４記載の電子機器。
【請求項９】
電子機器の接続部に挿抜自在に接続された外部記録媒体に記憶されたデータの重要度を算出するステップと、
前記重要度の高い順に、前記電子機器の内蔵メモリに対し、前記外部記録媒体に記憶されたデータのバックアップを行うステップと、
を有するデータのバックアップ方法。
【発明の詳細な説明】
【技術分野】
【０００１】
本発明は、電子機器及びデータのバックアップ方法に関する。
【背景技術】
【０００２】
従来、携帯端末やデジタルカメラ等の電子機器では、写真、動画、音楽、アプリケーション等のさまざまなコンテンツを、内蔵の不揮発性メモリや外付けのメモリカードに保存することが行われる。
【０００３】
メモリカードを電子機器から取り外した場合や複数のメモリカードを入れ替えた場合、メモリカードに保存されたコンテンツの多くは、内蔵メモリに保存されていないので、表示されなくなる。このような場合、ユーザによっては、コンテンツが消失したと感じることがある。また、内蔵メモリやメモリカード自体が壊れてしまった場合や、メモリカードを紛失した場合、ユーザは、保存していたコンテンツの大部分を失うことになる。
【０００４】
この対策として、コンテンツをバックアップしておくことが考えられる。この種の先行技術として、携帯端末に格納されているデータをサーバに自動的にバックアップするシステムが知られている（特許文献１参照）。
【先行技術文献】
【特許文献】
【０００５】
【特許文献１】特開２００３−５８２８６号公報
【発明の概要】
【発明が解決しようとする課題】
【０００６】
しかしながら、従来の電子機器では、つぎのような問題があった。データをバックアップする場合、全てのデータをバックアップすることは容量的に難しいので、バックアップされるデータを選別する必要がある。手動でデータを選別する場合、ユーザにとって面倒であり、大きな負担であった。
【０００７】
また、バックアップ先の記憶装置に保存されているデータがバックアップされたものであるかを判別することができず、リストア（復元）を行う際等には、データの取扱いが難しかった。
【０００８】
本発明は、かかる点に鑑みてなされたものであり、バックアップされるデータの選別及び取扱いが容易になる電子機器及びデータのバックアップ方法を提供することを目的とする。
【課題を解決するための手段】
【０００９】
（１）本発明は、外部記録媒体が挿抜自在に接続される接続部と、データを記憶する内蔵メモリと、前記外部記録媒体に記憶されたデータの重要度を算出し、前記重要度の高い順に、前記内蔵メモリに対し、前記外部記録媒体に記憶されたデータのバックアップを行う制御部と、を備える電子機器である。
【００１０】
（２）本発明は、（１）の構成に加え、前記制御部は、前記外部記録媒体に記憶されたデータの参照回数、ジャンル、キーワードの有無、イベント登録の有無及び位置情報の少なくとも１つを用いて、前記重要度を算出する電子機器である。
【００１１】
（３）本発明は、（１）の構成に加え、前記制御部は、前記内蔵メモリに空き容量があり、かつ、前記重要度が閾値以上であるデータのバックアップを行う電子機器である。
【００１２】
（４）本発明は、（１）の構成に加え、前記制御部は、前記内蔵メモリにバックアップが行われたデータに、前記バックアップが行われたデータであることを表すフラグ情報を付加する電子機器である。
【００１３】
（５）本発明は、（４）の構成に加え、外部装置と通信を行う通信部を備え、前記制御部は、前記外部装置に対し、前記内蔵メモリにバックアップが行われたデータ、及び当該データに付加されたフラグ情報を送信する電子機器である。
【００１４】
（６）本発明は、（１）の構成に加え、外部装置と通信を行う通信部を備え、前記制御部は、前記内蔵メモリに空き容量がある場合、前記内蔵メモリに対し、前記外部記録媒体に記憶されたデータのバックアップを行い、前記内蔵メモリに空き容量が無い場合、前記外部装置に対し、前記外部記録媒体に記憶されたデータのバックアップを行う電子機器である。
【００１５】
（７）本発明は、（６）の構成に加え、前記制御部は、前記外部装置に対し、前記外部記録媒体に記憶されたデータのバックアップを行う場合、前記外部記録媒体に記憶されたデータを消去せず、前記内蔵メモリに対し、前記外部記録媒体に記憶されたデータのバックアップを行う場合、前記外部記録媒体に記憶されたデータを消去する電子機器である。
【００１６】
（８）本発明は、（４）の構成に加え、前記制御部は、前記外部装置から受信したデータに、前記フラグ情報が付加されている場合、前記内蔵メモリに前記データを復元し、前記フラグ情報が付加されていない場合、前記外部記録媒体に前記データを復元する電子機器である。
【００１７】
（９）本発明は、電子機器の接続部に挿抜自在に接続された外部記録媒体に記憶されたデータの重要度を算出するステップと、前記重要度の高い順に、前記電子機器の内蔵メモリに対し、前記外部記録媒体に記憶されたデータのバックアップを行うステップと、を有するデータのバックアップ方法である。
【発明の効果】
【００１８】
本発明によれば、バックアップを行うデータを自動で選別できる電子機器を提供できる。従って、バックアップされるデータの選別及び取扱いが容易になる。
【図面の簡単な説明】
【００１９】
【図１】本実施形態の電子機器である携帯端末１０のデータバックアップシステムの概略を示す図である。
【図２】携帯端末１０の構成を示すブロック図である。
【図３】記憶部２０に登録された重要度テーブル２０ａの内容を示す図である。
【図４】バックアップ処理手順を示すフローチャートである。
【図５】リストア処理手順を示すフローチャートである。
【発明を実施するための形態】
【００２０】
以下、本発明の一実施形態について図面を参照して説明する。本実施形態の電子機器は携帯端末に適用される。
【００２１】
図１は本実施形態の電子機器である携帯端末１０のデータバックアップシステムの概略を示す図である。携帯端末１０は、クラウドコンピューティングが可能な端末であり、基
地局４１を介してインターネット等のネットワーク４０に接続される。また、携帯端末１０は、ネットワーク４０に接続された外部サーバ５０とデータ通信可能である。外部サーバ５０は、ネットワーク４０を通じて伝送される、多くのデータを記憶可能な大容量のストレージを有する。
【００２２】
図２は携帯端末１０の構成を示すブロック図である。携帯端末１０は、筺体１０ａの外部に配置された、ディスプレイ１１、キー操作部１２、マイク１３、スピーカ１６、発光部１４、撮影部１５及びカードインタフェース（Ｉ／Ｆ）３１を有する。また、携帯端末１０は、筺体１０ａの内部に収容された、信号処理部１７、無線部１８、振動部１９、記憶部２０、制御部２１及び電源部２２を有する。
【００２３】
ディスプレイ１１は、筺体１０ａの前面に配置され、文字や画像等のカラー表示を行うバックライト方式の液晶ディスプレイであり、液晶パネルとこの液晶パネルに背部から光を照射するためのバックライトを有する。
【００２４】
ディスプレイ１１は、制御部２１から入力された制御信号に基づき文字、図形、記号、画像などの各種情報を表示する。また、ディスプレイ１１には、液晶ディスプレイに限らず、例えば、有機ＥＬディスプレイや、複数のＬＥＤ(Light  Emitting  Diode)がマトリックス上に配列されたディスプレイが用いられてもよい。また、ディスプレイ１１には、ユーザによる画面へのタッチ操作に応じた入力信号を制御部２１に出力可能なタッチパネルが用いられてもよい。
【００２５】
キー操作部１２は、０〜９，♯，＊等のボタンを有し、ユーザの入力操作に応じた入力信号を制御部２１に出力する。その入力操作は、例えば、着信や発信時の入力、音量の調整入力、ディスプレイ１１の輝度調整の入力、電源オン／オフの切替入力、ディスプレイ１１の表示画面の切替入力、更には、アラーム報知時刻に所望のスケジュール内容を対応付けたアラーム設定情報の入力等である。
【００２６】
キー操作部１２に含まれるバックアップキー１２ａによってバックアップ機能のオン／オフが設定される。バックアップキー１２ａは、単独の機能を有するキーでなく、切り替えて用いられる。なお、バックアップキー１２ａはディスプレイ１１に表示されたタッチパネルに設定されてもよい。
【００２７】
スピーカ１６は、制御部２１の音声出力処理に応じて信号処理部１７から出力されるアナログ信号に基づき外部に音を出力する。信号処理部１７には、制御部２１からデジタル信号が入力され、信号処理部１７でアナログ信号に変換され、スピーカ１６に出力される。
【００２８】
マイク１３は、外部からの音声をアナログ信号に変換し、信号処理部１７を介して制御部２１に出力する。信号処理部１７には、マイク１３からアナログ信号が入力され、信号処理部１７でデジタル信号に変換され、このデジタル信号は制御部２１に出力される。
【００２９】
発光部１４は、ＬＥＤ等の発光素子からなり、制御部２１から出力された制御信号によって外部へ光を照射する。発光部１４は、電話の着信、メールの受信、アラーム日時到来等を、外部へ光を照射することにより報知する。
【００３０】
撮影部１５は、キー操作部１２からの入力操作に応じて動画や静止画を撮影する。この撮影された動画や静止画は、制御部２１を介して記憶部２０に記憶される。
【００３１】
無線部１８（通信部）は、アンテナ１８ａを有し、アンテナ１８ａを介して電波を送受
信することで、他携帯端末や基地局４１と無線通信を行う。この際、無線部１８は、アンテナ１８ａで受信される所定の高周波信号に対して復調及び復号処理を行いデジタル音声信号へと変換する。また、制御部２１から入力されたデジタル音声信号に符号化及び変調処理を行い、高周波信号に変換してアンテナ１８ａから送信する。また、無線部１８は、他の携帯端末等とアンテナ１８ａを介してメールの送受信動作を行う。また、無線部１８は、基地局４１を介してネットワーク４０に接続される他、無線ＬＡＮ（Ｗｉｆｉ）を介してネットワーク４０に接続可能である。
【００３２】
振動部１９は、モータを備え、制御部２１から出力された制御信号によって機械的振動を発生する。例えば、電話の着信、メールの受信、アラーム日時到来などを機械的振動によって報知する。
【００３３】
記憶部２０は、携帯端末１０の各種機能を制御するプログラムや、発着信対象となる複数のユーザの電話番号及びメールアドレス等のユーザ情報、着信音及び着信画像や待受け画像等のコンテンツ情報を記憶する。また、記憶部２０には、コンテンツ等のデータが記憶される内蔵メモリ２５が設けられている。本実施形態では、内蔵メモリ２５は２ＧＢの容量を有する。また、記憶部２０には、後述する重要度テーブル２０ａが登録されている。
【００３４】
カードＩ／Ｆ３１（接続部）は、筺体１０ａの側面に配置されている。このカードＩ／Ｆ３１には、メモリカード３５（外部記録媒体）が挿抜自在に装着される。メモリカード３５には、コンテンツデータ等が保存される。
【００３５】
制御部２１は、ＣＰＵ(Central  Processing  Unit)及びＤＳＰ(Digital  Signal  Processor)等で構成され、携帯端末１０の各部を制御し、携帯端末１０を統括的に管理して
各種の機能を実行する。例えば、制御部２１は、キー操作部１２の入力操作に基づき、携帯端末１０に備えられたメール機能、電話機能、アラーム報知機能などを実行し、記憶部２０に入力情報を記憶し、記憶部２０に記憶されたプログラムを実行する。
【００３６】
電源部２２は、充電用の電池２２ａを内蔵し、携帯端末１０の各部に電力を供給する。
【００３７】
図３は記憶部２０に登録された重要度テーブル２０ａの内容を示す図である。重要度テーブル２０ａには、各コンテンツの重要度を算出するための値が項目毎に設定されている。コンテンツの重要度は、バックアップ対象とするコンテンツデータを自動選別する際に用いられる。本実施形態では、項目として、「参照回数」、「ジャンル」、「検索キーワードに含まれるか」、「カレンダに登録されているイベントか」、「自宅からコンテンツ取得場所までの距離」が用いられる。
【００３８】
コンテンツの重要度は、数式（１）に示すように、これらの項目に設定された値を乗算することによって算出される。
【００３９】
コンテンツの重要度＝「参照回数」の値×「ジャンル」の値×「検索キーワードに含まれるか」の値×「カレンダに登録されているイベントか」の値×「自宅からコンテンツ取得場所までの距離」の値  ……（１）
ここで、「参照回数」の値には、コンテンツが参照された回数が設定される。写真、音楽データ、アプリケーション等のコンテンツの参照回数（参照時間）を計数し、回数が多いものほど、重要であると判断される。
【００４０】
「ジャンル」の値には、コンテンツが属しているジャンルのコンテンツ数を各ジャンルの平均コンテンツ数で除算した値が設定される。例えば、音楽、アプリケーション等のコ
ンテンツ毎にジャンルは分類される。コンテンツ数が多いジャンル、つまり、ユーザが好むと思われるジャンルは、重要であると判断される。なお、コンテンツが属しているジャンルが無い場合、該当無しとして、値１（１倍）が設定される。
【００４１】
「検索キーワードに含まれるか」の値には、含まれる（Ｙｅｓ）場合、値２が設定され、含まれない（Ｎｏ）の場合、値１が設定される。例えば、ブラウザ等で検索されたキーワードをファイル名に含むコンテンツは、重要であると判断される。
【００４２】
「カレンダに登録されているイベントか」の値には、登録されている（Ｙｅｓ）の場合、値２が設定され、登録されていない（Ｎｏ）場合、値１が設定される。カレンダに登録されたイベント（入学式、結婚式等）当日に撮影された写真は重要度であると判断される。
【００４３】
「自宅からコンテンツ取得場所までの距離」の値には、近い場合、値０．５が設定され、通常である場合、値１が設定され、遠い場合、値２が設定される。写真については、取得した位置情報をもとに、自宅、勤務地等の通常の居所から遠い場所で撮影されたものは、重要であると判断される。写真以外のコンテンツについては、値１が設定される。
【００４４】
重要度テーブル２０ａを参照し、例えば、コンテンツが「結婚式で撮影した写真」である場合、参照回数は２回で値２、ジャンルは該当無しで値１、検索キーワードに含まれないので、値１、カレンダに登録されたイベントであるので、値２、自宅からの距離が通常であるので、値１となる。従って、このコンテンツの重要度は、これらの値を乗算した結果、「４」となる。
【００４５】
また、コンテンツが「クラッシックの音楽データ１」である場合、参照回数は１回で値１、ジャンルは２／２で値１、検索キーワードに含まれないので、値１、カレンダに登録されたイベントでないので、値１、自宅からの距離が通常であるので、値１となる。従って、このコンテンツの重要度は、これらの値を乗算した結果、「１」となる。
【００４６】
なお、重要度の算出は、これらの項目を全て用いなくても、少なくとも１つを用いればよいとされる。
【００４７】
上記構成を有する携帯端末１０の動作を示す。図４はバックアップ処理手順を示すフローチャートである。この処理プログラムは、記憶部２０に格納されており、制御部２１によって実行される。あらかじめ、ユーザは、バックアップキー１２ａを用いて自動バックアップ機能のオン／オフを設定し、また、バックアップに割り当てる容量（バックアップ容量）、及びバックアップを実施するスケジュールを設定する。
【００４８】
制御部２１は、バックアップ時期が到来したか、あるいはメモリカード３５の装着が検出されたか否かを判別する（ステップＳ１）。バックアップ時期が到来しておらず、メモリカードの装着も検出されない場合、制御部２１は本動作を終了する。
【００４９】
一方、バックアップ時期が到来した場合、あるいはメモリカードの装着が検出された場合、制御部２１は、バックアップキー１２ａが押下され、バックアップ機能がオンになっているか否かを判別する（ステップＳ２）。
【００５０】
バックアップ機能がオフである場合、制御部２１はそのまま本動作を終了する。一方、バックアップ機能がオンである場合、制御部２１は、記憶部２０に格納されている重要度テーブル２０ａに設定されている重要度を更新する（ステップＳ３）。つまり、内蔵メモリ２５及びメモリカード３５に記憶されている全てのコンテンツデータの重要度を付与し
直す。なお、重要度の更新は、このステップ処理の他、タイマ処理によって定期的に行われてもよい。
【００５１】
制御部２１は、ユーザによってあらかじめ設定されたバックアップ容量（例えば、１ＧＢ）分、重要度が上位のコンテンツから順番に、内蔵メモリ２５及びメモリカード３５の双方にコンテンツデータをコピーしてバックアップを行う（ステップＳ４）。
【００５２】
このとき、制御部２１は、内蔵メモリ２５に保存されている各データに対し、内蔵メモリ２５に最初から保存されていたデータであるのか、それともメモリカード３５や他のストレージ（ハードディスク）から内蔵メモリ２５にバックアップされたデータであるのかを識別する情報として、フラグ情報（単に、フラグという）を一緒に保持しておく。つまり、制御部２１は、メモリカード３５から内蔵メモリ２５にデータが転送される場合、転送されるデータにフラグを付加して内蔵メモリ２５に保存する。
【００５３】
制御部２１は、内蔵メモリ２５及びメモリカード３５の双方に、ユーザによってあらかじめ設定されたバックアップ容量に達しても、まだ空き容量があるか否かを判別する（ステップＳ５）。少なくとも一方に空き容量がない場合、制御部２１はステップＳ７の処理に進む。
【００５４】
一方、まだ空き容量がある場合、制御部２１は、重要度が閾値（例えば値２）以上であるコンテンツデータを、内蔵メモリ２５及びメモリカード３５の双方にコピーしてバックアップを行う（ステップＳ６）。まだ空き容量がある場合として、例えば、ユーザによって設定されたバックアップ容量が１ＧＢ、内蔵メモリ２５の容量が２ＧＢ、メモリカードの容量が４ＧＢである場合等が挙げられる。
【００５５】
制御部２１は、ネットワーク接続が可能な外部サーバ５０が存在するか否かを判別する（ステップＳ７）。外部サーバ５０が存在しない場合、制御部２１は本動作を終了する。
【００５６】
一方、外部サーバ５０が存在する場合、制御部２１は、バックアップ対象のデータのバックアップを外部サーバ５０に対しても行う（ステップＳ８）。即ち、内蔵メモリ２５へのバックアップに合わせて、外部サーバ５０にもバックアップを行う。これは、内蔵メモリ２５にバックアップされるデータは重要であるからである。また、外部サーバ５０へのバックアップは、メモリカード３５から転送されたデータのみではなく、内蔵メモリ２５にあらかじめ保存されていたデータも含めて行われる。さらに、制御部２１は、内蔵メモリ２５に保存され、バックアップが行われたデータを外部サーバ５０に対しても送信してバックアップを行う場合、前述したフラグ情報も一緒に外部サーバ５０に送信する。
【００５７】
このとき、外部サーバ５０にバックアップが行われたデータがメモリカード３５にだけ記憶されたものである場合、制御部２１は、メモリカード３５のデータを消去しない。逆に、バックアップが行われたデータが内蔵メモリ２５に記憶されたものである場合、メモリカード３５のデータを消去する。これにより、外部サーバ５０と通信できない場合でも、バックアップが行われたデータを保持することができる。
【００５８】
また、メモリカード３５に記憶されたバックアップ対象のデータのサイズが大きく、内蔵メモリ２５にバックアップを行うと、その容量を使い過ぎる場合、制御部２１は、内蔵メモリ２５にコピーすることなく、外部サーバ５０に対してだけバックアップを行う。
【００５９】
ステップＳ８の処理後、制御部２１は本動作を終了する。
【００６０】
このように、携帯端末１０は、所定の期間ごと、またはユーザにより操作された場合に
、外部サーバ５０にアクセスし、内蔵メモリ２５に保存されているデータを外部サーバ５０に保存することが可能である。また、携帯端末１０は、外部サーバ５０にデータを転送する場合、フラグ情報も合わせて転送する。これにより、外部サーバ５０側では、転送されたデータとフラグ情報が一緒に保存される。
【００６１】
図５はリストア処理手順を示すフローチャートである。この処理プログラムは、記憶部２０に格納されており、制御部２１によって実行される。
【００６２】
制御部２１は、ユーザによってあらかじめ設定されたスケジュールが到来すると、外部サーバ５０から携帯端末１０にデータのリストア（復元）を開始する（ステップＳ１１）。
【００６３】
制御部２１は、外部サーバ５０に保存されているデータにフラグが付加されているか否かを確認し、このデータが内蔵メモリ２５にバックアップされたデータであるか否かを判別する（ステップＳ１２）。
【００６４】
フラグが付加されておらず、内蔵メモリ２５からバックアップされたデータである場合、制御部２１は、外部サーバ５０から転送されるデータを内蔵メモリ２５に保存する（ステップＳ１３）。一方、フラグが付加されており、メモリカード３５からバックアップされたデータである場合、制御部２１は、外部サーバ５０から転送されるデータをメモリカード３５に保存する（ステップＳ１４）。
【００６５】
この後、制御部２１は、外部サーバ５０にリストア対象のデータが残っているか否かを判別する（ステップＳ１５）。残っている場合、制御部２１は、ステップＳ１２の処理に戻る。一方、残っていない場合、制御部２１は本動作を終了する。
【００６６】
このように、携帯端末１０は、外部サーバに保存されたデータをダウンロードする場合、データとフラグ情報を取得する。携帯端末１０は、取得したデータにフラグ情報が付加されている場合、内蔵メモリ２５に保存した後、メモリカード３５にデータを転送する。一方、携帯端末１０は、取得したデータにフラグが付加されていない場合、メモリカード３５にデータを転送せず、内蔵メモリ２５に保存したままとする。
【００６７】
本実施形態の携帯端末によれば、メモリカードに記憶されたデータの重要度を算出し、重要度の高い順に、バックアップを行うので、バックアップを行うデータを自動で選別できる。従って、バックアップされるデータの選別及び取扱いが容易になる。
【００６８】
また、メモリカードに記憶されたデータの参照回数、ジャンル、検索キーワードの有無、カレンダ上のイベント登録の有無、及び携帯端末の位置情報の少なくとも１つを用いて、重要度が算出されるので、ユーザの好みに合わせた重要度の算出が行える。
【００６９】
また、内蔵メモリに空き容量があり、かつ、重要度が閾値以上であるデータのバックアップを行うので、あまり重要でないデータのバックアップが抑えられる。
【００７０】
また、内蔵メモリにバックアップが行われたデータにこのフラグ情報が付加されるので、内蔵メモリにバックアップが行われたデータの識別が可能となる。
【００７１】
また、外部サーバに、内蔵メモリにバックアップが行われたデータとこのフラグ情報を送信するので、外部サーバは内蔵メモリにバックアップが行われたデータを識別可能である。
【００７２】
また、内蔵メモリに空き容量がある場合、内蔵メモリにバックアップを行い、空き容量が無い場合、外部サーバにバックアップを行うので、バックアップを行う際、内蔵メモリの空き容量が確保される。
【００７３】
また、外部サーバにバックアップが行われた場合、メモリカードに記憶されたデータを消去せず、内蔵メモリにバックアップが行われた場合、メモリカードに記憶されたデータを消去するので、外部サーバと通信できない場合でも、バックアップが行われたデータを保持することができる。
【００７４】
また、フラグ情報が付加されたデータは内蔵メモリに復元し、付加されていないデータはメモリカードに復元するので、バックアップが行われたデータを元通りに復元することができる。これにより、内蔵メモリからバックアップが行われた重要なデータを内蔵メモリに戻すことができる。
【００７５】
なお、本発明は、上記実施形態の構成に限られるものではなく、特許請求の範囲で示した機能、または本実施形態の構成が持つ機能が達成できる構成であればどのようなものであっても適用可能である。
【００７６】
例えば、外部記録媒体としては、ＳＤカード（登録商標）、コンパクトフラッシュ（登録商標）、メモリスティック（登録商標）等のメモリカードに限らず、ハードディスクドライブ、ＰＣ、デジタルカメラ等のストレージであってもよい。また、これらのストレージと接続される場合、接続部には、ＵＳＢポート等が用いられる。
【００７７】
また、携帯端末として、携帯電話機、スマートフォン、タブレット端末等が挙げられる。
【符号の説明】
【００７８】
１０  携帯端末
１０ａ  筐体
１１  ディスプレイ
１２  キー操作部
１２ａ  バックアップキー
１３  マイク
１４  発光部
１５  撮影部
１６  スピーカ
１７  信号処理部
１８  無線部
１８ａ  アンテナ
１９  振動部
２０  記憶部
２０ａ  重要度テーブル
２１  制御部
２２ａ  電池
２２  電源部
２５  内蔵メモリ
３１  カードインタフェース（Ｉ／Ｆ）
３５  メモリカード
４０  ネットワーク
４１  基地局
５０  外部サーバ
【図１】
2014191630.tif 000003
【図２】
2014191630.tif 000004
【図３】
2014191630.tif 000005
【図４】
2014191630.tif 000006
【図５】
2014191630.tif 000007